(57)【要約】      （修正有）【課題】商品の展示会場等において、バイヤーがより効率的に商品の発注を行うことが可能な商品発注処理システムを提供すること。【解決手段】携帯型端末装置は、商品情報提供装置から送信されてきた商品情報を受信し、受信された商品情報をユーザに対して提示し、提示された商品情報に係る商品の発注指示をユーザから受け付け、受け付けられた商品発注指示に対応する商品の商品識別情報と記憶されたユーザ識別情報とを含み、当該商品発注指示に対応する商品の発注要求を示す商品発注要求情報を、ネットワークを介して商品情報提供装置に対して送信する。商品情報提供装置は、携帯型端末装置から送信されてきた商品発注要求情報を受信し、受信された商品発注要求情報に含まれる商品識別情報に対応する商品の発注を示す商品発注情報を、受信された商品発注要求情報に含まれるユーザ識別情報に対応付けてデータベースに登録する。【選択図】図２
2008083945.tif 000002
【特許請求の範囲】
【請求項１】
各ユーザにより携帯される複数の携帯型端末装置と、前記携帯型端末装置とネットワークを介して通信可能な商品情報提供装置と、を備える商品発注処理システムにおいて、
前記携帯型端末装置は、
当該携帯型端末装置のユーザに対して固有に割り当てられたユーザ識別情報を記憶するユーザ識別情報記憶手段と、
展示された商品毎に固有に割り当てられた商品識別情報を取得する商品識別情報取得手段と、
前記取得された商品識別情報と前記記憶されたユーザ識別情報とを含み、当該商品識別情報の登録要求を示す商品登録要求情報を、前記ネットワークを介して前記商品情報提供装置に対して送信する商品登録要求情報送信手段と、
を備え、
前記商品情報提供装置は、
前記携帯型端末装置から送信されてきた商品登録要求情報を受信する商品登録要求情報受信手段と、
前記受信された商品登録要求情報に含まれる前記商品識別情報及び前記ユーザ識別情報を対応付けてデータベースに登録する商品登録手段と、
前記携帯型端末装置のユーザのユーザ識別情報に対応付けられて登録されている前記商品識別情報に対応する商品に関する商品情報を取得する商品情報取得手段と、
前記取得された商品情報を前記ネットワークを介して前記携帯型端末装置に対して送信する商品情報送信手段と、
を備え、
前記携帯型端末装置は、更に、
前記商品情報提供装置から送信されてきた商品情報を受信する商品情報受信手段と、
前記受信された商品情報をユーザに対して提示する商品情報提示手段と、
前記提示された商品情報に係る商品の発注指示を前記ユーザから受け付ける商品発注指示受付手段と、
前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する商品発注要求情報送信手段と、
を備え、
前記商品情報提供装置は、
前記携帯型端末装置から送信されてきた商品発注要求情報を受信する商品発注要求情報受信手段と、
前記受信された商品発注要求情報に含まれる前記商品識別情報に対応する商品の発注を示す商品発注情報を、前記受信された商品発注要求情報に含まれる前記ユーザ識別情報に対応付けてデータベースに登録する商品発注登録手段と、
を備えることを特徴とする商品発注処理システム。
【請求項２】
請求項１に記載の商品発注処理システムにおいて、
複数の前記ユーザにより共通に使用される共用端末装置を更に備え、
当該共用端末装置は、
前記ユーザ識別情報を入力するユーザ識別情報入力手段と、
前記入力されたユーザ識別情報を含み、商品情報の閲覧要求を示す商品閲覧要求情報を、前記ネットワークを介して前記商品情報提供装置に対して送信する商品閲覧要求情報送信手段と、
を備え、
前記商品情報提供装置は、
前記共用端末装置から送信されてきた商品閲覧要求情報を受信する商品閲覧要求情報受信手段を更に備え、
前記商品情報提供装置の前記商品情報取得手段は、前記受信された商品閲覧要求情報に含まれるユーザ識別情報に対応付けられて登録されている前記商品識別情報に対応する商品に関する商品情報を取得し、
前記商品情報提供装置の前記商品情報送信手段は、前記取得された商品情報を前記ネットワークを介して前記共用端末装置に対して送信し、
前記共用端末装置は、更に、
前記商品情報提供装置から送信されてきた商品情報を受信する商品情報受信手段と、
前記受信された商品情報を、前記入力されたユーザ識別情報に対応するユーザに対して提示する商品情報提示手段と、
前記提示された商品情報に係る商品の発注指示を前記ユーザから受け付ける商品発注指示受付手段と、
前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する商品発注要求情報送信手段と、
を備え、
前記商品情報提供装置の前記商品発注要求情報受信手段は、前記共用端末装置から送信されてきた商品発注要求情報を受信し、
前記商品情報提供装置の前記商品発注登録手段は、前記受信された商品発注要求情報に含まれる前記商品識別情報に対応する商品の発注を示す商品発注情報を、前記受信された商品発注要求情報に含まれる前記ユーザ識別情報に対応付けてデータベースに登録することを特徴とする商品発注処理システム。
【請求項３】
請求項１又は２に記載の商品発注処理システムにおいて、
前記商品情報提供装置の前記商品情報取得手段は、前記商品識別情報に対応する商品に関する商品情報を取得する際に、当該商品識別情報に関して前記複数のユーザに跨る登録総数を集計し、当該集計した登録総数を示す登録総数情報を取得し、
前記商品情報提供装置の前記商品情報送信手段は、前記取得した商品情報と共に、前記取得した前記登録総数情報を、前記ネットワークを介して前記携帯型端末装置又は前記共用端末装置に対して送信し、
前記携帯型端末装置又は前記共用端末装置の商品情報受信手段は、前記商品情報提供装置から送信されてきた商品情報及び登録総数情報を受信し、
前記携帯型端末装置又は前記共用端末装置の商品情報提示手段は、前記受信された商品情報及び登録総数情報をユーザに対して提示することを特徴とする商品発注処理システム。
【請求項４】
請求項１又は２に記載の商品発注処理システムにおいて、
前記商品情報提供装置の前記商品情報取得手段は、前記商品識別情報に対応する商品に関する商品情報を取得する際に、当該商品識別情報に関して前記複数のユーザに跨る発注総数を集計し、当該集計した発注総数を示す発注総数情報を取得し、
前記商品情報提供装置の前記商品情報送信手段は、前記取得した商品情報と共に、前記取得した前記発注総数情報を、前記ネットワークを介して前記携帯型端末装置又は前記共用端末装置に対して送信し、
前記携帯型端末装置又は前記共用端末装置の商品情報受信手段は、前記商品情報提供装置から送信されてきた商品情報及び発注総数情報を受信し、
前記携帯型端末装置又は前記共用端末装置の商品情報提示手段は、前記受信された商品情報及び発注総数情報をユーザに対して提示することを特徴とする商品発注処理システム。
【請求項５】
請求項１乃至４の何れか一項に記載の商品発注処理システムにおいて、
前記商品情報提供装置は、
前記データベースに登録された商品識別情報に基づいて、商品毎の登録総数を集計し、当該集計した商品毎の登録総数の順位を示すランキング情報を生成する登録総数ランキング情報生成手段と、
前記生成された登録総数ランキング情報を、前記ネットワークを介して前記携帯型端末装置又は前記共用端末装置に対して送信する登録総数ランキング情報送信手段と、
を更に備え、
前記携帯型端末装置又は前記共用端末装置は、
前記商品情報提供装置から送信されてきた登録総数ランキング情報を受信する登録総数ランキング情報受信手段と、
前記受信された登録総数ランキング情報をユーザに対して提示する登録総数ランキング情報提示手段と、
を更に備えることを特徴とする商品発注処理システム。
【請求項６】
請求項１乃至４の何れか一項に記載の商品発注処理システムにおいて、
前記商品情報提供装置は、
前記データベースに登録された商品発注情報に基づいて、商品毎の発注総数を集計し、当該集計した商品毎の発注総数の順位を示すランキング情報を生成する発注総数ランキング情報生成手段と、
前記生成された発注総数ランキング情報を、前記ネットワークを介して前記携帯型端末装置又は前記共用端末装置に対して送信する発注総数ランキング情報送信手段と、
を更に備え、
前記携帯型端末装置又は前記共用端末装置は、
前記商品情報提供装置から送信されてきた発注総数ランキング情報を受信する発注総数ランキング情報受信手段と、
前記受信された発注総数ランキング情報をユーザに対して提示する発注総数ランキング情報提示手段と、
を更に備えることを特徴とする商品発注処理システム。
【請求項７】
請求項１乃至６の何れか一項に記載の商品発注処理システムに含まれる商品情報提供装置。
【請求項８】
コンピュータを、請求項７に記載の商品情報提供装置として機能させることを特徴とする商品情報提供処理プログラム。
【請求項９】
各ユーザにより携帯される複数の携帯型端末装置と、前記携帯型端末装置とネットワークを介して通信可能な商品情報提供装置と、を備える商品発注処理システムにおける商品発注方法であって、
前記携帯型端末装置は、
当該携帯型端末装置のユーザに対して固有に割り当てられたユーザ識別情報を記憶する工程と、
展示された商品毎に固有に割り当てられた商品識別情報を取得する工程と、
前記取得された商品識別情報と前記記憶されたユーザ識別情報とを含み、当該商品識別情報の登録要求を示す商品登録要求情報を、前記ネットワークを介して前記商品情報提供装置に対して送信する工程と、
を備え、
前記商品情報提供装置は、
前記携帯型端末装置から送信されてきた商品登録要求情報を受信する工程と、
前記受信された商品登録要求情報に含まれる前記商品識別情報及び前記ユーザ識別情報を対応付けてデータベースに登録する工程と、
前記携帯型端末装置のユーザのユーザ識別情報に対応付けられて登録されている前記商品識別情報に対応する商品に関する商品情報を取得する工程と、
前記取得された商品情報を、前記ネットワークを介して前記携帯型端末装置に対して送信する工程と、
を備え、
前記携帯型端末装置は、更に、
前記商品情報提供装置から送信されてきた商品情報を受信する工程と、
前記受信された商品情報をユーザに対して提示する工程と、
前記提示された商品情報に係る商品の発注指示を前記ユーザから受け付ける工程と、
前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する工程と、
を備え、
前記商品情報提供装置は、
前記携帯型端末装置から送信されてきた商品発注要求情報を受信する工程と、
前記受信された商品発注要求情報に含まれる前記商品識別情報に対応する商品の発注を示す商品発注情報を、前記受信された商品発注要求情報に含まれる前記ユーザ識別情報に対応付けてデータベースに登録する工程と、
を備えることを特徴とする商品発注処理方法。
【発明の詳細な説明】
【技術分野】
【０００１】
本発明は、各ユーザにより携帯される複数の携帯型端末装置と、前記携帯型端末装置とネットワークを介して通信可能な商品情報提供装置と、を備える商品発注処理システム等の技術分野に関する。
【背景技術】
【０００２】
商品の取引時に現品の確認が必要となるような商品のジャンルにおいては、製造業者（以下、「メーカ」という）が、小売業者（以下、「バイヤー」という）向けに新商品の展示会を開催することがある。特にアパレル業界においては、シーズン毎に新商品の展示会を開催してバイヤーを招待し、その場で商品の発注をしてもらうことが行われている。その他、酒類、家電、特産品、化粧品、靴、帽子等の商品でも同様に、メーカ主催の小売・卸し向け展示会が実施されている。
【０００３】
このような商品の展示会においては、バイヤーが現品を見て歩き、仕入れたい商品とその発注数を発注書に書き込み、その発注書をメーカに渡すことで、商品の発注が行われる。
【０００４】
なお、特許文献１には、展示会等の説明会場での顧客情報を活かした案内と、事後の処理を的確にして販売促進を支援できるようにする技術が開示されている。
【特許文献１】特開２００２−１０９２００号公報
【発明の開示】
【発明が解決しようとする課題】
【０００５】
しかしながら、メーカ側にとってみれば、商品の展示会の度に、紙の発注書が大量に発生してしまい、その管理にコストがかかり、また、バイヤー毎に提出される発注書からどの商品が何点発注されるのかについて集計する必要があり、この作業にもコストがかかる。また、どの商品にバイヤーの関心が集中しているかについては、商品の展示会の開催後に発注書を確認することでしか判断できない。
【０００６】
一方、バイヤー側からみれば、商品の仕入れ候補を全て覚えておくことは困難であり、また、仕入れする予定の商品の比較検討が不便であり、更に、仕入れ商品を発注書へ記入する作業も面倒である。
【０００７】
本発明は、以上の点に鑑みてなされたものであり、商品の展示会場等において、バイヤーがより効率的に商品の発注を行うことが可能であり、また、商品毎のバイヤーの人気度合い等をリアルタイムで把握し得ることが可能な商品発注処理システム、商品情報提供装置、商品情報提供処理プログラム、及び商品発注処理方法を提供することを目的とする。
【課題を解決するための手段】
【０００８】
上記課題を解決するために、請求項１に記載の発明は、各ユーザにより携帯される複数の携帯型端末装置と、前記携帯型端末装置とネットワークを介して通信可能な商品情報提供装置と、を備える商品発注処理システムにおいて、前記携帯型端末装置は、当該携帯型端末装置のユーザに対して固有に割り当てられたユーザ識別情報を記憶するユーザ識別情報記憶手段と、展示された商品毎に固有に割り当てられた商品識別情報を取得する商品識別情報取得手段と、前記取得された商品識別情報と前記記憶されたユーザ識別情報とを含み、当該商品識別情報の登録要求を示す商品登録要求情報を、前記ネットワークを介して前記商品情報提供装置に対して送信する商品登録要求情報送信手段と、を備え、前記商品情報提供装置は、前記携帯型端末装置から送信されてきた商品登録要求情報を受信する商品登録要求情報受信手段と、前記受信された商品登録要求情報に含まれる前記商品識別情報及び前記ユーザ識別情報を対応付けてデータベースに登録する商品登録手段と、前記携帯型端末装置のユーザのユーザ識別情報に対応付けられて登録されている前記商品識別情報に対応する商品に関する商品情報を取得する商品情報取得手段と、前記取得された商品情報を前記ネットワークを介して前記携帯型端末装置に対して送信する商品情報送信手段と、を備え、前記携帯型端末装置は、更に、前記商品情報提供装置から送信されてきた商品情報を受信する商品情報受信手段と、前記受信された商品情報をユーザに対して提示する商品情報提示手段と、前記提示された商品情報に係る商品の発注指示を前記ユーザから受け付ける商品発注指示受付手段と、前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する商品発注要求情報送信手段と、を備え、前記商品情報提供装置は、前記携帯型端末装置から送信されてきた商品発注要求情報を受信する商品発注要求情報受信手段と、前記受信された商品発注要求情報に含まれる前記商品識別情報に対応する商品の発注を示す商品発注情報を、前記受信された商品発注要求情報に含まれる前記ユーザ識別情報に対応付けてデータベースに登録する商品発注登録手段と、を備えることを特徴とする。
【０００９】
請求項２に記載の発明は、請求項１に記載の商品発注処理システムにおいて、複数の前記ユーザにより共通に使用される共用端末装置を更に備え、当該共用端末装置は、前記ユーザ識別情報を入力するユーザ識別情報入力手段と、前記入力されたユーザ識別情報を含み、商品情報の閲覧要求を示す商品閲覧要求情報を、前記ネットワークを介して前記商品情報提供装置に対して送信する商品閲覧要求情報送信手段と、を備え、前記商品情報提供装置は、前記共用端末装置から送信されてきた商品閲覧要求情報を受信する商品閲覧要求情報受信手段を更に備え、前記商品情報提供装置の前記商品情報取得手段は、前記受信された商品閲覧要求情報に含まれるユーザ識別情報に対応付けられて登録されている前記商品識別情報に対応する商品に関する商品情報を取得し、前記商品情報提供装置の前記商品情報送信手段は、前記取得された商品情報を前記ネットワークを介して前記共用端末装置に対して送信し、前記共用端末装置は、更に、前記商品情報提供装置から送信されてきた商品情報を受信する商品情報受信手段と、前記受信された商品情報を、前記入力されたユーザ識別情報に対応するユーザに対して提示する商品情報提示手段と、前記提示された商品情報に係る商品の発注指示を前記ユーザから受け付ける商品発注指示受付手段と、前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する商品発注要求情報送信手段と、を備え、前記商品情報提供装置の前記商品発注要求情報受信手段は、前記共用端末装置から送信されてきた商品発注要求情報を受信し、前記商品情報提供装置の前記商品発注登録手段は、前記受信された商品発注要求情報に含まれる前記商品識別情報に対応する商品の発注を示す商品発注情報を、前記受信された商品発注要求情報に含まれる前記ユーザ識別情報に対応付けてデータベースに登録することを特徴とする。
【００１０】
請求項３に記載の発明は、請求項１又は２に記載の商品発注処理システムにおいて、前記商品情報提供装置の前記商品情報取得手段は、前記商品識別情報に対応する商品に関する商品情報を取得する際に、当該商品識別情報に関して前記複数のユーザに跨る登録総数を集計し、当該集計した登録総数を示す登録総数情報を取得し、前記商品情報提供装置の前記商品情報送信手段は、前記取得した商品情報と共に、前記取得した前記登録総数情報を、前記ネットワークを介して前記携帯型端末装置又は前記共用端末装置に対して送信し、前記携帯型端末装置又は前記共用端末装置の商品情報受信手段は、前記商品情報提供装置から送信されてきた商品情報及び登録総数情報を受信し、前記携帯型端末装置又は前記共用端末装置の商品情報提示手段は、前記受信された商品情報及び登録総数情報をユーザに対して提示することを特徴とする。
【００１１】
請求項４に記載の発明は、請求項１又は２に記載の商品発注処理システムにおいて、前記商品情報提供装置の前記商品情報取得手段は、前記商品識別情報に対応する商品に関する商品情報を取得する際に、当該商品識別情報に関して前記複数のユーザに跨る発注総数を集計し、当該集計した発注総数を示す発注総数情報を取得し、前記商品情報提供装置の前記商品情報送信手段は、前記取得した商品情報と共に、前記取得した前記発注総数情報を、前記ネットワークを介して前記携帯型端末装置又は前記共用端末装置に対して送信し、前記携帯型端末装置又は前記共用端末装置の商品情報受信手段は、前記商品情報提供装置から送信されてきた商品情報及び発注総数情報を受信し、前記携帯型端末装置又は前記共用端末装置の商品情報提示手段は、前記受信された商品情報及び発注総数情報をユーザに対して提示することを特徴とする。
【００１２】
請求項５に記載の発明は、請求項１乃至４の何れか一項に記載の商品発注処理システムにおいて、前記商品情報提供装置は、前記データベースに登録された商品識別情報に基づいて、商品毎の登録総数を集計し、当該集計した商品毎の登録総数の順位を示すランキング情報を生成する登録総数ランキング情報生成手段と、前記生成された登録総数ランキング情報を、前記ネットワークを介して前記携帯型端末装置又は前記共用端末装置に対して送信する登録総数ランキング情報送信手段と、を更に備え、前記携帯型端末装置又は前記共用端末装置は、前記商品情報提供装置から送信されてきた登録総数ランキング情報を受信する登録総数ランキング情報受信手段と、前記受信された登録総数ランキング情報をユーザに対して提示する登録総数ランキング情報提示手段と、を更に備えることを特徴とする。
【００１３】
請求項６に記載の発明は、請求項１乃至４の何れか一項に記載の商品発注処理システムにおいて、前記商品情報提供装置は、前記データベースに登録された商品発注情報に基づいて、商品毎の発注総数を集計し、当該集計した商品毎の発注総数の順位を示すランキング情報を生成する発注総数ランキング情報生成手段と、前記生成された発注総数ランキング情報を、前記ネットワークを介して前記携帯型端末装置又は前記共用端末装置に対して送信する発注総数ランキング情報送信手段と、を更に備え、前記携帯型端末装置又は前記共用端末装置は、前記商品情報提供装置から送信されてきた発注総数ランキング情報を受信する発注総数ランキング情報受信手段と、前記受信された発注総数ランキング情報をユーザに対して提示する発注総数ランキング情報提示手段と、を更に備えることを特徴とする。
【００１４】
請求項８に記載の商品情報提供処理プログラムの発明は、コンピュータを、請求項７に記載の商品情報提供装置として機能させることを特徴とする。
【００１５】
請求項９に記載の発明は、各ユーザにより携帯される複数の携帯型端末装置と、前記携帯型端末装置とネットワークを介して通信可能な商品情報提供装置と、を備える商品発注処理システムにおける商品発注方法であって、前記携帯型端末装置は、当該携帯型端末装置のユーザに対して固有に割り当てられたユーザ識別情報を記憶する工程と、展示された商品毎に固有に割り当てられた商品識別情報を取得する工程と、前記取得された商品識別情報と前記記憶されたユーザ識別情報とを含み、当該商品識別情報の登録要求を示す商品登録要求情報を、前記ネットワークを介して前記商品情報提供装置に対して送信する工程と、を備え、前記商品情報提供装置は、前記携帯型端末装置から送信されてきた商品登録要求情報を受信する工程と、前記受信された商品登録要求情報に含まれる前記商品識別情報及び前記ユーザ識別情報を対応付けてデータベースに登録する工程と、前記携帯型端末装置のユーザのユーザ識別情報に対応付けられて登録されている前記商品識別情報に対応する商品に関する商品情報を取得する工程と、前記取得された商品情報を、前記ネットワークを介して前記携帯型端末装置に対して送信する工程と、を備え、前記携帯型端末装置は、更に、前記商品情報提供装置から送信されてきた商品情報を受信する工程と、前記受信された商品情報をユーザに対して提示する工程と、前記提示された商品情報に係る商品の発注指示を前記ユーザから受け付ける工程と、前記受け付けられた商品発注指示に対応する商品の前記商品識別情報と前記記憶されたユーザ識別情報とを含み、当該商品発注指示に対応する商品の発注要求を示す商品発注要求情報を、前記ネットワークを介して前記商品情報提供装置に対して送信する工程と、を備え、前記商品情報提供装置は、前記携帯型端末装置から送信されてきた商品発注要求情報を受信する工程と、前記受信された商品発注要求情報に含まれる前記商品識別情報に対応する商品の発注を示す商品発注情報を、前記受信された商品発注要求情報に含まれる前記ユーザ識別情報に対応付けてデータベースに登録する工程と、を備えることを特徴とする。
【発明の効果】
【００１６】
本発明によれば、各バイヤーは、気になった商品を自己の携帯型端末装置から登録しておき、後からより効率的に商品の発注を行うことができる。従って、各バイヤーは、商品の仕入れ候補を全て覚えておく必要がなく、仕入れ商品を発注書へ記入する手間を削減することができる。
【発明を実施するための最良の形態】
【００１７】
以下、本発明を実施するための最良の実施形態について、図面に基づいて説明する。
【００１８】
先ず、図１を参照して、本発明の一実施形態に係る商品発注処理システムの構成及び機能について説明する。
【００１９】
図１は、本実施形態に係る商品発注処理システムの全体構成例を示す図である。
【００２０】
図１に示すように、商品発注処理システムＳは、商品の展示会場に来場した各ユーザ（バイヤー）により携帯（所有）される複数の携帯型端末装置（以下、「バイヤー端末」という）１と、該展示会場における例えば受付に設置され受付オペレータにより使用される受付端末２と、該展示会場における例えば休憩所に設置されユーザ（バイヤー）により共通に使用される共用端末装置（以下、「共用端末」という）３と、該展示会場における各メーカのスタッフ（例えば説明員）により使用される複数の携帯型端末装置（以下、「スタッフ端末」という）４と、ユーザデータベースサーバ５と、商品情報データベースサーバ６と、本発明の商品情報提供装置の一例としてのＷｅｂサーバ７と、及びアプリ配信サーバ８と、を備えて構成されている。
【００２１】
なお、図１の例では、説明の便宜上、１つのバイヤー端末１及び１つのスタッフ端末４を示したが、実際にはこれより多くのバイヤー端末１及びスタッフ端末４が存在することになる。また、受付端末２及び共用端末３は、夫々複数設置されても良い。
【００２２】
バイヤー端末１、受付端末２、共用端末３、及びスタッフ端末４は、夫々、ブラウザ機能を有しており、インターネットや移動体通信網（無線基地局、交換局等を含む）等により構築されたネットワークＮＴを介してＷＥＢサーバ７に接続し、各種データの送受信（例えば、ＴＣＰ／ＩＰ（Transmission Control Protocol/Internet Protocol）に基づく）が可能になっている。バイヤー端末１及びスタッフ端末４としては、例えば、携帯電話機、ＰＤＡ（Personal Digital Assistant）、及びＰＨＳ（Personal Handyphone System）等を適用することができるが、本実施形態においては、バイヤー端末１に、カメラ機能を有する携帯電話機を適用し、スタッフ端末４にＰＤＡを適用した場合について説明するものとする。また、受付端末２及び共用端末３には、汎用のパーソナルコンピュータ（ＰＣ）を適用することができる。また、共用端末３及びスタッフ端末４には、ＩＣタグリーダ（ＩＣタグからデータを読み取る機器）が接続される（内臓又は外付け）。
【００２３】
ユーザデータベースサーバ５及び商品情報データベースサーバ６は、夫々、データベースを備え、例えばＮＡＳ（Network Attached Storage）として機能して、ＬＡＮに接続されたＷｅｂサーバ７の記憶装置として使用される。
【００２４】
ユーザデータベースサーバ５におけるユーザデータベース５１は、各ユーザ（バイヤー）毎に記憶領域が区分されており、各ユーザ（バイヤー）のバイヤー端末１から取得された商品ＩＤ（商品毎に固有に割り当てられた商品識別情報の一例）、並びに個人情報及びパスワードが、各ユーザ（バイヤー）に対して固有に割り当てられたユーザ識別情報の一例である来場者管理ＩＤ（後述する）に対応付けられて登録（記憶）される。このように取得された商品ＩＤがユーザデータベース５１に登録されることを「クリップ」と称する。そして、このようにクリップされた商品が発注された場合には、その商品の発注を示す商品発注情報が来場者管理ＩＤに対応付けられて登録される。
【００２５】
商品情報データベースサーバ６における商品情報データベース６１には、複数種類の商品毎の商品情報が、商品ＩＤ（例えば、ＪＡＮ（Japanese Article Number）コード等の商品コード）に対応付けられて登録（記憶）されている。ここで、商品情報には、例えば、商品名、カテゴリー（種類）名、メーカ名（ブランド名）、商品スペック（色、サイズ、素材（素材メーカ、生産地等）等）、商品の画像データ、商品の価格、商品の在庫等の情報が含まれる。なお、当該商品情報は、例えば商品情報データベースサーバ６のオペレータにより登録される。
【００２６】
Ｗｅｂサーバ７は、ＣＰＵ、作業用のＲＡＭ（Random Access Memory）、データ及びプログラムを記憶するＲＯＭ（Read Only Memory）等を備える制御部、各種情報を記憶する記憶部（例えば、ハードディスクドライブ等からなる）、ネットワークＮＴを介して他の装置との間で通信を行うための通信部（例えば、通信機器、通信ポート等）等を備えており、ユーザデータベースサーバ５及び商品情報データベースサーバ６とＬＡＮ等を介して相互に通信可能になっている。そして、Ｗｅｂサーバ７の制御部は、ＣＰＵがＲＯＭや記憶部に記憶されたプログラム（例えば、本発明の商品情報提供処理プログラム等）をＲＯＭ等から読出して実行することにより、本発明の商品登録要求情報受信手段、商品登録手段、商品閲覧要求情報受信手段、商品情報取得手段、商品情報送信手段、商品発注要求情報受信手段、商品発注登録手段、登録総数ランキング情報生成手段、登録総数ランキング情報送信手段、発注総数ランキング情報生成手段、及び発注総数ランキング情報送信手段等として機能し、ネットワークＮＴを介して接続してきたバイヤー端末１、受付端末２、共用端末３、又はスタッフ端末４からの要求に応じて、後述するように各種情報の提供及び登録処理等を行うようになっている。
【００２７】
アプリ配信サーバ８は、バイヤー端末１用のアプリケーションプログラムを記憶しており、接続してきたバイヤー端末１に対して、アプリケーションプログラムを、ネットワークＮＴを介して提供するようになっている。
【００２８】
次に、図２乃至図５等を参照して、本実施形態に係る商品発注処理システムＳの動作について説明する。
【００２９】
図２は、商品の展示会場におけるサービスの流れを示す概念図であり、図３乃至図５は、商品発注処理システムＳにおける情報のやり取り及び処理を示すシーケンス図である。
【００３０】
（１．展示会場受付における動作）
図２に示す展示会場受付１００に設置されている受付端末２は、ネットワークＮＴを介してＷＥＢサーバ７に接続し、当該サーバ７から提供された来場者登録画面（図示せず）を表示している。このような来場者登録画面の表示状態において、受付オペレータは、当該展示会場に来場したバイヤーの個人情報（例えば、名刺に記載された会社名、会社の住所及び電話番号、氏名、電子メールアドレス等）及びパスワード（受付オペレータがバイヤーから聞き出す）を、キーボード及びマウスにより入力し実行ボタンを押下すると、当該受付端末２は、入力された個人情報及びパスワードに対して固有の来場者管理ＩＤ（例えば来場者順に付与されるシリアル番号であり、当該来場者登録画面上にも表示されている）を付与（紐付け）し、当該個人情報、パスワード及び来場者管理ＩＤを含むバイヤー登録要求情報を、ネットワークＮＴを介してＷＥＢサーバ７に送信する（ステップＳ１）。そして、ＷＥＢサーバ７は、上記バイヤー登録要求情報を受信すると、これに含まれる個人情報、パスワード及び来場者管理ＩＤを、ユーザデータベースサーバ５を介してユーザデータベース５１に登録する（ステップＳ２）。
【００３１】
他方、受付オペレータは、上記付与された来場者管理ＩＤが埋め込まれている（書き込まれている）ＩＣタグが取り付けられたストラップ（来場者管理ＩＤが埋め込まれたＩＣカードでも良い）を当該バイヤーに貸し出すと共に当該来場者管理ＩＤを伝える。
【００３２】
一方、バイヤーは、バイヤー端末１のカメラを起動させて、展示会場受付１００において表示されているアプリ配信サーバ８のＵＲＬが埋め込まれたＱＲコードをカメラで撮影し、当該ＵＲＬを読み取らせる。そして、バイヤー端末１は、読み取ったＵＲＬに基づきアプリ配信サーバ８に接続し、当該アプリ配信サーバ８から本サービスを受けるためのアプリケーションプログラムをダウンロードしてインストールすると、当該バイヤー端末１上にはＩＤ登録画面（図示せず）が表示される。このようなＩＤ登録画面の表示状態において、バイヤーは、上記受付オペレータから伝えられた来場者管理ＩＤ及び上記パスワードを、バイヤー端末１における操作キー（十字キー、テンキー等）により入力し実行キーを押下すると、当該来場者管理ＩＤがバイヤー端末１におけるメモリに記憶され、バイヤー端末１における表示部上にトップメニュー画面が表示される。
【００３３】
こうして表示されたトップメニュー画面例を、図６（Ａ）に示す。なお、図６は、バイヤー端末１において表示された画面例を示す図である。図６（Ａ）に示す例では、トップメニュー画面２０１上には、「仕入れ候補登録」ボタン２０１ａ、「仕入れ候補一覧」ボタン２０１ｂ、及び「ＰＣ用ＩＤの確認」ボタン２０１ｃが設けられている。
【００３４】
そして、当該バイヤーは、受付オペレータから入手したＩＣタグが取り付けられたストラップを例えば首に下げ、商品展示ブースに向かうことになる。
【００３５】
（２．商品展示ブース等におけるバイヤーの操作に伴う動作）
次に、展示会場には、複数の商品展示ブースがあり、例えば、図２に示すように、洋服が展示された商品展示ブース１０１には、展示商品１０１ａとペアで商品説明スタンド１０１ｂが複数設置されており、各商品説明スタンド１０１ｂには、商品の説明と共に当該商品の商品ＩＤが埋め込まれたバーコード又はＱＲコードが記載された用紙が載せられている。
【００３６】
そして、バイヤーは、仕入れ候補とする所望の商品を発見した場合、バイヤー端末１上に表示されているトップメニュー画面２０１上における「仕入れ候補登録」ボタン２０１ａを操作キーにより選択し実行キーを押下すると、バイヤー端末１におけるカメラが起動する。続いて、当該バイヤーは、上記所望の商品の商品説明スタンドにおける例えばＱＲコードをカメラにより撮影すると、当該バイヤー端末１は、撮影した例えばＱＲコードから商品ＩＤを取得し（ステップＳ３）、当該取得した商品ＩＤと、自己のメモリに記憶されている来場者管理ＩＤとを含み、当該商品ＩＤの登録要求を示す商品登録要求情報を、ネットワークＮＴを介してＷＥＢサーバ７に対して送信する（ステップＳ４）。
【００３７】
そして、ＷＥＢサーバ７は、上記商品登録要求情報を受信すると、これに含まれる商品ＩＤ及び来場者管理ＩＤを対応付けて、ユーザデータベースサーバ５を介してユーザデータベース５１に登録する（ステップＳ５）。次いで、ＷＥＢサーバ７は、上記商品登録要求情報に含まれる商品ＩＤに対応する商品に関する商品情報を、商品情報データベースサーバ６を介して商品情報データベース６１から取得する（ステップＳ６）。
【００３８】
次いで、ＷＥＢサーバ７は、ユーザデータベースサーバ５を介してユーザデータベース５１を参照し、上記商品登録要求情報に含まれる商品ＩＤに関して複数のバイヤーに跨る登録総数を集計し（言い換えれば、当該商品ＩＤが対応付けられている来場者管理ＩＤの数を積算し）、当該集計した登録総数（クリップ総数）を示す登録総数情報を取得する（ステップＳ７）。
【００３９】
次いで、ＷＥＢサーバ７は、ユーザデータベースサーバ５を介してユーザデータベース５１を参照し、上記商品登録要求情報に含まれる商品ＩＤに関して複数のバイヤーに跨る発注総数を集計し（言い換えれば、当該商品ＩＤに対応する商品の発注を示す商品発注情報が対応付けられている来場者管理ＩＤの数を積算し）、当該集計した発注総数を示す発注総数情報を取得する（ステップＳ８）。
【００４０】
次いで、ＷＥＢサーバ７は、上記取得した商品情報、登録総数情報、及び発注総数情報をネットワークＮＴを介してバイヤー端末１に対して送信する（ステップＳ９）。
【００４１】
そして、バイヤー端末１は、こうして送信されてきた商品情報、登録総数情報、及び発注総数情報を受信すると、これらの情報を、図６（Ｂ）に示すような商品情報表示画面２０２上に表示する（ステップＳ１０）。
【００４２】
これにより、バイヤーは、こうして表示された画面を見て、当該所望の商品の詳細情報ばかりでなく、どの位多くのバイヤーによりクリップされたか、更には発注されたかを即座に把握することができる。また、各バイヤーは、展示会場における複数の商品展示ブースを回遊して、仕入れ候補とする所望の商品があればバイヤー端末１を用いてクリップすることになる。
【００４３】
また、このような商品展示ブースを回遊、或いは後述する休憩所において、バイヤーは、当該展示会場において自己がクリップした商品の商品情報を閲覧したい場合、バイヤー端末１上に表示されているトップメニュー画面２０１上における「仕入れ候補一覧」ボタン２０１ｂを操作キーにより選択し実行キーを押下すると、バイヤー端末１は、自己のメモリに記憶されている来場者管理ＩＤを含み、当該商品情報の閲覧要求を示す商品閲覧要求情報を、ネットワークＮＴを介してＷＥＢサーバ７に対して送信する（ステップＳ１１）。
【００４４】
そして、ＷＥＢサーバ７は、上記商品閲覧要求情報を受信すると、これに含まれる来場者管理ＩＤに対応付けられた全ての商品ＩＤを、ユーザデータベースサーバ５を介してユーザデータベース５１から取得する（ステップＳ１２）。
【００４５】
次いで、ＷＥＢサーバ７は、上記取得した夫々の商品ＩＤに対応する商品情報を、商品情報データベースサーバ６を介して商品情報データベース６１から取得し（ステップＳ１３）、当該取得した商品情報をカテゴリー別に区別して、ネットワークＮＴを介してバイヤー端末１に対して送信する（ステップＳ１４）。
【００４６】
そして、バイヤー端末１は、こうして送信されてきた商品情報を受信すると、図６（Ｃ）に示すような商品カテゴリー一覧画面２０３を表示部上に表示する。バイヤーが、このような商品カテゴリー一覧画面２０３において所望の商品カテゴリーを操作キーにより選択し実行キーを押下すると、図６（Ｄ）に示すような仕入れ候補一覧画面２０４が表示される（ステップＳ１５）。
【００４７】
このような仕入れ候補一覧画面２０４には、当該バイヤーがクリップした商品のうち、上記選択されたカテゴリーに属する商品の商品情報の一部（商品名及び価格等）が一覧表示されており、その中には現在の在庫数量も表示されている。これにより、バイヤーは、自己がクリップした仕入れ候補となる商品について、在庫数量を把握しつつ確認することができる。なお、図６（Ｄ）に示す仕入れ候補一覧画面２０４上に表示しきれない商品情報等については、例えば、十字キーによりスクロール表示可能になっている。
【００４８】
また、バイヤーが、仕入れ候補一覧画面２０４上における所望の商品の商品情報を操作キーにより選択し実行キーを押下すると、図６（Ｅ）に示すような、より詳細な商品情報を表示する商品詳細情報表示画面２０５が表示されることになり、当該バイヤーは、当該商品の詳細情報を把握することができる。
【００４９】
なお、ＷＥＢサーバ７は、ユーザデータベースサーバ５を介してユーザデータベース５１を参照し、上記ステップＳ１２において取得した夫々の商品ＩＤに関して複数のバイヤーに跨る登録総数を集計し、当該集計した登録総数（クリップ総数）を示す登録総数情報を取得すると共に、上記夫々の商品ＩＤに関して複数のバイヤーに跨る発注総数を集計し、当該集計した発注総数を示す発注総数情報を取得して、バイヤー端末１に対して送信するように構成しても良い。この場合、例えば、図６（Ｄ）に示す仕入れ候補一覧画面２０４には、夫々の商品に対応する登録総数情報、及び発注総数情報が表示されることになる。
【００５０】
これにより、当該バイヤーは、現段階でのクリップした商品毎のクリップ総数及び発注総数を把握することができる。
【００５１】
また、バイヤーは、自己の来場者管理ＩＤ及びパスワードを確認したい場合、トップメニュー画面２０１上における「ＰＣ用ＩＤの確認」ボタン２０１ｃを操作キーにより選択し実行キーを押下すると、図６（Ｆ）に示すような、ＩＤ等表示画面２０６が表示される。これにより、バイヤーは、自己の来場者管理ＩＤ及びパスワードを容易に確認することが可能となり、別のＰＣ例えば休憩所に設置された共用端末３からログインする際に使用することができる。
【００５２】
（３．商品展示ブース等におけるスタッフの操作に伴う動作）
一方、当該展示会場における各メーカのスタッフは、スタッフ端末４を携帯して自社の商品展示ブースに待機しており、当該バイヤーがある所定距離内に接近すると、スタッフ端末４におけるＩＣタグリーダが、当該バイヤーのストラップに取り付けられたＩＣタグから来場者管理ＩＤを読み取る（ステップＳ２１）。
【００５３】
次いで、スタッフ端末４は、ＷＥＢサーバ７に接続し、読み取った来場者管理ＩＤを、ネットワークＮＴを介して当該ＷＥＢサーバ７に対して送信する（ステップＳ２２）。そして、ＷＥＢサーバ７は、上記来場者管理ＩＤを受信すると、当該来場者管理ＩＤに対応する個人情報を、ユーザデータベースサーバ５を介してユーザデータベース５１から取得する（ステップＳ２３）。
【００５４】
次いで、ＷＥＢサーバ７は、上記取得した個人情報をネットワークＮＴを介してスタッフ端末４に対して送信する（ステップＳ２４）。
【００５５】
そして、スタッフ端末４は、こうして送信されてきた個人情報を受信すると、当該個人情報が表示されたバイヤー情報表示画面を表示部上に表示する（ステップＳ２５）。こうして表示されたバイヤー情報表示画面例を、図７（Ａ）に示す。なお、図７は、スタッフ端末４において表示された画面例を示す図である。
【００５６】
こうして表示されたバイヤー情報表示画面３０１により、当該メーカのスタッフは、バイヤーの会社名や所属等を即座に把握することができる。
【００５７】
また、当該メーカのスタッフが、スタッフ端末４上に表示されているバイヤー情報表示画面３０１上における「仕入れ候補一覧」ボタン３０１ａを操作キーにより選択し実行キーを押下すると、スタッフ端末４は、当該バイヤーの仕入れ候補一覧要求を示す仕入れ候補一覧要求情報（当該バイヤーの来場者管理ＩＤを含む）を、ネットワークＮＴを介してＷＥＢサーバ７に対して送信する（ステップＳ２６）。
【００５８】
そして、ＷＥＢサーバ７は、上記仕入れ候補一覧要求情報を受信すると、これに含まれる来場者管理ＩＤに対応付けられた全ての商品ＩＤを、ユーザデータベースサーバ５を介してユーザデータベース５１から取得し（ステップＳ２７）、当該取得した夫々の商品ＩＤに対応する商品に関する商品情報を、商品情報データベースサーバ６を介して商品情報データベース６１から取得し（ステップＳ２８）、当該取得した商品情報を、ネットワークＮＴを介してスタッフ端末４に対して送信する（ステップＳ２９）。
【００５９】
そして、スタッフ端末４は、こうして送信されてきた商品情報を受信すると、当該商品情報が表示された仕入れ候補一覧画面を表示部上に表示する（ステップＳ３０）。こうして表示された仕入れ候補一覧画面例を、図７（Ｂ）に示す。図７（Ｂ）に示すように、仕入れ候補一覧画面３０２には、当該バイヤーによりクリップされた仕入れ候補の商品の商品情報の一部（商品名及び価格等）が一覧表示されており、これにより、当該メーカのスタッフは、現段階での当該バイヤーの仕入れ候補を即座に確認し、当該バイヤーに対してクリップされた商品のより適切な詳細な説明等を行うことができる。
【００６０】
なお、上記ステップＳ１７で、ＷＥＢサーバ７は、商品ＩＤと共に、来場者管理ＩＤに対応付けられた商品発注情報を取得し、ステップＳ２９でこれを送信して、仕入れ候補一覧画面３０２上に、各商品が発注されているか否かを示す情報が表示されるように構成しても良い。この構成によれば、当該メーカのスタッフは、バイヤーによりクリップされた商品のうち、未だ発注されていない商品を優先してバイヤーに対して説明できるので、販促効果を高めることができる。
【００６１】
また、スタッフ端末４の表示部上には、トップメニュー画面（図示せず）を表示可能になっており、当該トップメニュー画面上には、展示商品一覧ボタンが設けられている。例えば、当該メーカのスタッフが、上記展示商品一覧ボタンを操作キーにより選択し実行キーを押下すると、スタッフ端末４は、展示商品一覧要求を示す展示商品一覧要求情報を、ネットワークＮＴを介してＷＥＢサーバ７に対して送信する（ステップＳ３１）。
【００６２】
そして、ＷＥＢサーバ７は、上記展示商品一覧要求情報を受信すると、当該展示会場で展示されている全部又は一部（例えば、１０個分）の商品に関する商品情報を、商品情報データベースサーバ６を介して商品情報データベース６１から取得する（ステップＳ３２）。
【００６３】
次いで、ＷＥＢサーバ７は、ユーザデータベースサーバ５を介してユーザデータベース５１を参照し、取得した夫々の商品情報に対応する商品ＩＤに関して複数のバイヤーに跨る登録総数を集計し、当該集計した登録総数（クリップ総数）を示す登録総数情報を取得する（ステップＳ３３）。
【００６４】
次いで、ＷＥＢサーバ７は、ユーザデータベースサーバ５を介してユーザデータベース５１を参照し、上記取得した夫々の商品情報に対応する商品ＩＤに関して複数のバイヤーに跨る発注総数を集計し、当該集計した発注総数を示す発注総数情報を取得する（ステップＳ３４）。
【００６５】
次いで、ＷＥＢサーバ７は、上記夫々の商品に対応する上記取得した商品情報、登録総数情報、及び発注総数情報をネットワークＮＴを介してスタッフ端末４に対して送信する（ステップＳ３５）。
【００６６】
そして、スタッフ端末４は、こうして送信されてきた商品情報、登録総数情報、及び発注総数情報を受信すると、これらの商品情報、登録総数情報、及び発注総数情報が表示された展示商品一覧画面を表示部上に表示する（ステップＳ３６）。こうして表示された展示商品一覧画面例を、図７（Ｃ）に示す。なお、図７（Ｃ）に示す展示商品一覧画面３０３上に表示しきれない商品情報等については、例えば、十字キーによりスクロール表示可能になっている。
【００６７】
これにより、当該メーカのスタッフは、現段階での展示商品毎のクリップ総数及び発注総数を把握することができる。
【００６８】
また、当該メーカのスタッフが、展示商品一覧画面３０３上における所望の商品の商品情報を操作キーにより選択し実行キーを押下すると、図７（Ｄ）に示すような、より詳細な商品情報を表示する商品詳細情報表示画面３０４が表示される（ステップＳ３７）ことになり、当該メーカのスタッフは、当該商品の詳細情報を把握することができる。なお、展示会場に展示しきれない商品の商品情報をこの画面上に表示させ、バイヤーに提示することができる。
【００６９】
また、当該メーカのスタッフが、図７（Ｄ）に示す商品詳細情報表示画面３０４上における「質問登録」ボタン３０４ａを操作キーにより選択し実行キーを押下すると、スタッフ端末４は、図７（Ｅ）に示すような、バイヤーからの質問及び回答を入力するための質問登録画面３０５が表示される。このような質問登録画面３０５上で、当該メーカのスタッフは操作キーを操作して、バイヤーからの質問、及び可能であればその回答を入力し実行キーを押下すると、入力された質問の内容（回答が入力されていれば、回答の内容）及び当該質問に係る商品の商品ＩＤを含み、当該質問の内容等の登録要求を示す質問内容等登録要求情報を、ネットワークＮＴを介してＷＥＢサーバ７に対して送信する（ステップＳ３８）。
【００７０】
そして、ＷＥＢサーバ７は、上記質問内容等登録要求情報を受信すると、これに含まれる商品ＩＤ及び質問の内容等を対応付けて、商品情報データベースサーバ６を介して商品情報データベース６１に登録する（ステップＳ３９）。
【００７１】
これにより、当該メーカのスタッフは、バイヤーへの商品の説明時にあった質問の内容等を登録することができる。
【００７２】
一方、当該メーカのスタッフが、図７（Ｄ）に示す商品詳細情報表示画面３０４上における「質問一覧」ボタン３０４ｂを操作キーにより選択し実行キーを押下すると、スタッフ端末４は、スタッフ端末４は、当該商品ＩＤを含み、質問一覧要求を示す質問一覧要求情報を、ネットワークＮＴを介してＷＥＢサーバ７に対して送信する（ステップＳ４０）。
【００７３】
そして、ＷＥＢサーバ７は、上記質問一覧要求情報を受信すると、これに含まれる商品ＩＤに対応付けられた全ての質問の内容等を、商品情報データベースサーバ６を介して商品情報データベース６１から取得する（ステップＳ４１）。
【００７４】
次いで、ＷＥＢサーバ７は、上記取得した質問の内容等を示す情報を、ネットワークＮＴを介してスタッフ端末４に対して送信する（ステップＳ４２）。
【００７５】
そして、スタッフ端末４は、こうして送信されてきた質問の内容等を示す情報を受信すると、当該質問の内容等が表示された質問一覧画面を表示部上に表示する（ステップＳ４３）。こうして表示された質問一覧画面例を、図７（Ｆ）に示す。
【００７６】
これにより、当該メーカのスタッフが交代しても、交代後のスタッフはバイヤーからあった当該商品についての質問及びその回答を把握することができる。
【００７７】
（４．休憩所におけるバイヤーの操作に伴う動作）
次に、展示会場には、バイヤーが仕入れ候補となる商品を比較検討して発注するかどうかを検討するため、複数の休憩所１０２が設けられており、ここに設置された共用端末３には、図８（Ａ）に示すような、ログイン画面４０１が表示されている。なお、図８は、共用端末３において表示された画面例を示す図である。
【００７８】
そして、当該休憩所１０２を訪れたバイヤーは、自己の来場者管理ＩＤ及びパスワード（例えば、図６（Ｆ）に示すＩＤ等表示画面２０６にて確認）を、上記ログイン画面４０１上にキーボード及びマウスにより入力し実行ボタンを押下すると、当該共用端末３は、入力されＲＡＭに記憶された来場者管理ＩＤ及びパスワードを、ネットワークＮＴを介してＷＥＢサーバ７に送信し、ログイン成功した場合（来場者管理ＩＤ及びパスワードの組がユーザデータベース５１に登録されている場合）には、共用端末３の表示部上に、図８（Ｂ）に示すようなトップメニュー画面４０２が表示される。なお、共用端末３のＩＣタグリーダが、接近してきたバイヤーに貸与されたストラップにおけるＩＣタグから、来場者管理ＩＤを読み取り、これを共用端末３がＷＥＢサーバ７に送信することにより自動ログインするように構成しても良い（この場合、パスワードの入力無し）。
【００７９】
こうして表示されたトップメニュー画面４０２上には、「仕入れ候補一覧」ボタン４０２ａ、「発注書確認」ボタン４０２ｂ、「ランキングボタン」４０２ｃ、及び「ログアウト」ボタン４０２ｄ等が設けられている。
【００８０】
このような表示状態において、当該バイヤーは、「仕入れ候補一覧」ボタン４０２ａを例えばマウスによりクリックすると、共用端末３は、上記入力され記憶された来場者管理ＩＤを含み、当該商品情報の閲覧要求を示す商品閲覧要求情報を、ネットワークＮＴを介してＷＥＢサーバ７に対して送信する（ステップＳ５１）。
【００８１】
そして、ＷＥＢサーバ７は、上記商品閲覧要求情報を受信すると、これに含まれる来場者管理ＩＤに対応付けられた全ての商品ＩＤを、ユーザデータベースサーバ５を介してユーザデータベース５１から取得する（ステップＳ５２）。
【００８２】
次いで、ＷＥＢサーバ７は、上記取得した夫々の商品ＩＤに対応する商品情報を、商品情報データベースサーバ６を介して商品情報データベース６１から取得し（ステップＳ５３）、当該取得した商品情報をカテゴリー別に区別して、ネットワークＮＴを介して共用端末３に対して送信する（ステップＳ５４）。
【００８３】
そして、共用端末３は、こうして送信されてきた商品情報を受信すると、図８（Ｃ）に示すような商品カテゴリー一覧画面４０３を表示部上に表示する。バイヤーが、このような商品カテゴリー一覧画面４０３において所望の商品カテゴリーを例えばマウスによりクリックすると、図８（Ｄ）に示すような仕入れ候補一覧画面４０４が表示される（ステップＳ５５）。
【００８４】
このような仕入れ候補一覧画面４０４には、当該バイヤーがクリップした商品のうち、上記選択されたカテゴリーに属する商品の商品情報の一部（商品名及び価格等）が選択可能に（チェックボックス４０４ａによる）一覧表示（提示）されており、各商品には発注数を指定するための発注数入力欄４０４ｂが設けられている。また、仕入れ候補一覧画面４０４には、発注ボタン４０４ｃ及び削除ボタン４０４ｄが設けられている。なお、図８（Ｄ）に示す仕入れ候補一覧画面４０４上に表示しきれない商品情報等については、例えば、十字キーによりスクロール表示可能になっている。
【００８５】
また、バイヤーが、仕入れ候補一覧画面４０４上における所望の商品の商品情報を例えばマウスによりクリックすると、上述した図６（Ｅ）に示すような、より詳細な商品情報を表示する商品詳細情報表示画面２０５が表示されることになり、当該バイヤーは、当該商品の詳細情報を把握することができる。
【００８６】
なお、ＷＥＢサーバ７は、ユーザデータベースサーバ５を介してユーザデータベース５１を参照し、上記ステップＳ５２において取得した夫々の商品ＩＤに関して複数のバイヤーに跨る登録総数を集計し、当該集計した登録総数（クリップ総数）を示す登録総数情報を取得すると共に、上記夫々の商品ＩＤに関して複数のバイヤーに跨る発注総数を集計し、当該集計した発注総数を示す発注総数情報を取得して、共用端末３に対して送信するように構成しても良い。この場合、例えば、図８（Ｄ）に示す仕入れ候補一覧画面４０４には、夫々の商品に対応する登録総数情報、及び発注総数情報が表示されることになる。
【００８７】
そして、図８（Ｄ）に示す仕入れ候補一覧画面４０４の表示状態において、当該バイヤーは、発注したい商品に対応するチェックボックス４０４ａを選択（マウスによりクリック）し、その発注数量を発注数入力欄４０４ｂに、キーボードにより入力（ＲＡＭに記憶）した後、発注ボタン４０４ｃを例えばマウスによりクリック（チェックボックス４０４ａにより選択された商品の発注指示）すると、共用端末３は、かかる発注指示を受け付け、上記入力され記憶された来場者管理ＩＤ及び発注数量、並びに上記受け付けられた商品発注指示に対応する商品の商品ＩＤを含み、当該商品発注指示に対応する商品の発注要求を示す商品発注要求情報を、ネットワークＮＴを介してＷＥＢサーバ７に対して送信する（ステップＳ５６）。
【００８８】
そして、ＷＥＢサーバ７は、上記商品発注要求情報を受信すると、これに含まれる商品ＩＤに対応する商品の発注を示す商品発注情報（商品名、発注数量、合計金額等を含む）を、当該受信された商品発注要求情報に含まれる来場者管理ＩＤに対応付けて、ユーザデータベースサーバ５を介してユーザデータベース５１に登録する（ステップＳ５７）。このように、バイヤーは、自己がクリップした仕入れ候補となる商品の中から、所望の商品の発注を簡単に行うことができる。こうして、登録された商品発注情報及び当該来場者管理ＩＤに対応するバイヤーの個人情報等は、当該商品のメーカに対して例えば電子メールで伝えられることになる。
【００８９】
なお、図８（Ｄ）に示す仕入れ候補一覧画面４０４の表示状態において、当該バイヤーが、削除したい商品に対応するチェックボックス４０４ａを選択（マウスによりクリック）し、削除ボタン４０４ｄを例えばマウスによりクリックすると、その情報がＷＥＢサーバ７に送信され、上記選択された商品の商品ＩＤがユーザデータベース５１から削除される。
【００９０】
また、上記トップメニュー画面４０２上の表示状態において、当該バイヤーが、「発注書確認」ボタン４０２ｂを例えばマウスによりクリックすると、共用端末３は、上記入力され記憶された来場者管理ＩＤを含み、発注書確認要求を示す発注書確認要求情報を、ネットワークＮＴを介してＷＥＢサーバ７に対して送信する（ステップＳ５８）。
【００９１】
そして、ＷＥＢサーバ７は、上記発注書確認要求情報を受信すると、予め用意されている発注書フォームに、当該発注書確認要求情報に含まれる来場者管理ＩＤに対応付けられた商品発注情報及び個人情報等の情報を記述して発注書データを生成し（ステップＳ５９）、発注書データ等を、ネットワークＮＴを介して共用端末３に対して送信する（ステップＳ６０）。
【００９２】
そして、共用端末３は、こうして送信されてきた発注書データ等を受信すると、図８（Ｅ）に示すような発注書画面４０５を表示部上に表示する（なお、当該発注書は、例えばメーカ毎にあり、頁送りにより表示される）。こうして表示された発注書を、バイヤーは共用端末３からプリントアウトして、展示会場受付１００においてメーカ宛に提出することができる。
【００９３】
また、上記トップメニュー画面４０２上の表示状態において、当該バイヤーが、「ランキングボタン」４０２ｃを例えばマウスによりクリックすると、共用端末３は、ランキング要求を示すランキング要求情報を、ネットワークＮＴを介してＷＥＢサーバ７に対して送信する（ステップＳ６１）。
【００９４】
そして、ＷＥＢサーバ７は、上記ランキング要求情報を受信すると、ユーザデータベース５１に登録された商品ＩＤに基づいて商品毎の登録総数を集計し（つまり、商品ＩＤが対応付けられている来場者管理ＩＤの数を商品ＩＤ毎に積算し）、当該集計した商品毎の登録総数の順位を示す登録総数ランキング情報を生成する（ステップＳ６２）。
【００９５】
次いで、ＷＥＢサーバ７は、ユーザデータベース５１に登録された商品発注情報に基づいて商品毎の発注総数を集計し（つまり、商品発注情報が対応付けられている来場者管理ＩＤの数を商品ＩＤ毎に積算し）、当該集計した商品毎の発注総数の順位を示す発注総数ランキング情報を生成する（ステップＳ６３）。
【００９６】
次いで、ＷＥＢサーバ７は、生成した登録総数ランキング情報及び発注総数ランキング情報等を、ネットワークＮＴを介して共用端末３に対して送信する（ステップＳ６４）。
【００９７】
そして、共用端末３は、こうして送信されてきた登録総数ランキング情報及び発注総数ランキング情報等を受信すると、当該登録総数ランキング情報及び発注総数ランキング情報が表示された図８（Ｆ）に示すようなランキング画面４０６を表示部上に表示する（ステップＳ６５）。このように表示されたランキング画面４０６により、バイヤーは、商品の登録総数ランキング及び発注総数ランキングを見て、どの商品がバイヤーに人気があるかを即座に把握することができる。
【００９８】
なお、上記登録総数ランキング及び発注総数ランキングは、商品カテゴリー毎に生成されてランキング画面４０６に示すように、商品カテゴリー毎に表示されるように構成しても良い。また、かかる登録総数ランキング情報及び発注総数ランキング情報は、バイヤー端末１の要求により、当該バイヤー端末１の表示部上に表示されるように構成しても良い。
【００９９】
最後に、バイヤーは、貸与されたストラップを展示会場受付１００に返し、当該展示会場を退場することになる。
【０１００】
以上説明したように、上記実施形態によれば、各バイヤーは、商品展示ブースを回遊して気になった商品を自己のバイヤー端末１にてクリップしておき、後から共用端末３からより効率的に商品の発注を行うことができる。従って、各バイヤーは、商品の仕入れ候補を全て覚えておく必要がなく、仕入れ商品を発注書へ記入する手間を削減することができる。また、各バイヤーは、自己がクリップした商品の商品情報、登録総数、及び発注総数、更には、登録総数ランキング及び発注総数ランキングをバイヤー端末１等から閲覧することができるので、展示会場における商品毎のバイヤーの人気度合い等をリアルタイムで把握することができ、仕入れする商品の比較検討も便利である。
【０１０１】
また、各メーカのスタッフは、商品毎に、登録総数、及び発注総数をスタッフ端末４により閲覧できるので、展示会場における商品毎のバイヤーの人気度合い等をリアルタイムで把握することができる。また、各メーカは、どの商品が何点発注されたかを即座に確認でき、商品発注情報は、データベースにより管理されるので、集計作業も容易となり、ひいては、コスト低減を図ることができる。
【図面の簡単な説明】
【０１０２】
【図１】本実施形態に係る商品発注処理システムの全体構成例を示す図である。
【図２】商品の展示会場におけるサービスの流れを示す概念図である。
【図３】商品発注処理システムＳにおける情報のやり取り及び処理を示すシーケンス図である。
【図４】商品発注処理システムＳにおける情報のやり取り及び処理を示すシーケンス図である。
【図５】商品発注処理システムＳにおける情報のやり取り及び処理を示すシーケンス図である。
【図６】バイヤー端末１において表示された画面例を示す図である。
【図７】スタッフ端末４において表示された画面例を示す図である。
【図８】共用端末３において表示された画面例を示す図である。
【符号の説明】
【０１０３】
１  バイヤー端末
２  受付端末
３  共用端末
４  スタッフ端末
５  ユーザデータベースサーバ
６  商品情報データベースサーバ
７  Ｗｅｂサーバ
８  アプリ配信サーバ
５１  ユーザデータベース
６１  商品情報データベース
ＮＴ  ネットワーク
Ｓ  商品発注処理システム
【図１】
2008083945.tif 000003
【図２】
2008083945.tif 000004
【図３】
2008083945.tif 000005
【図４】
2008083945.tif 000006
【図５】
2008083945.tif 000007
【図６】
2008083945.tif 000008
【図７】
2008083945.tif 000009
【図８】
2008083945.tif 000010